(57)【要約】【課題】自然界に残存することなく分解され、環境への影響が少なく、かつ、経済性および集魚効果の高いルアーを提供する。【解決手段】生分解性プラスチックをフィルム状に形成したルアー基材１を有し、ルアー基材１は、少なくとも一方の面に金属層２を含む。生分解性プラスチックが、ポリ乳酸を含む。金属層２が、アルミニウムで形成されている。ルアー基材１は、ルアー基材１の長手方向において、一方の端部が鋭角状に尖って形成されるとともに、一方の端部側から他方の端部に向かって先細りになるように形成されている。【選択図】図１
2016013074.tif 000002
【特許請求の範囲】
【請求項１】
生分解性プラスチックをフィルム状に形成したルアー基材を有し、
前記ルアー基材は、少なくとも一方の面に金属層を含むことを特徴とするルアー。
【請求項２】
前記生分解性プラスチックが、ポリ乳酸を含むことを特徴とする請求項１記載のルアー。
【請求項３】
前記金属層が、アルミニウムで形成されていることを特徴とする請求項１又は２記載のルアー。
【請求項４】
前記ルアー基材には、補強シールが貼られていることを特徴とする請求項１〜３いずれか１項記載のルアー。
【請求項５】
前記ルアー基材は、模様の形成が可能であることを特徴とする請求項１〜４いずれか１項記載のルアー。
【請求項６】
前記模様は、ペンにより描くことが可能であることを特徴とする請求項５記載のルアー。
【請求項７】
前記模様は、凹凸により形成することが可能であることを特徴とする請求項５記載のルアー。
【請求項８】
前記ルアー基材は、前記ルアー基材の長手方向において、一方の端部が鋭角状に尖って形成されるとともに、一方の端部側から他方の端部に向かって先細りになるように形成されていることを特徴とする請求項１〜７いずれか１項記載のルアー。
【請求項９】
前記ルアー基材は、凧形に形成されており、前記凧形の対称軸において二つ折りにされていることを特徴とする請求項１〜７いずれか１項記載のルアー。
【請求項１０】
前記ルアー基材は、短冊型に形成されていることを特徴とする請求項１〜７いずれか１項記載のルアー。
【発明の詳細な説明】
【技術分野】
【０００１】
本発明は、魚釣りに使用するルアーに関する。
【背景技術】
【０００２】
魚釣りに使用するルアーは、例えば特許文献１に記載されているように、重りなどのルアー基材を、魚の形状に似た板状に加工し、ルアー基材の表面に、魚の模様や色彩を模したルアーシートを貼り付けることにより構成されている。ルアーシートはホログラム層、金属蒸着層、蓄光層などを含み、水中において、ルアーシートが光を乱反射して光ることにより集魚機能を発揮する。
【０００３】
また、例えば特許文献２に記載されているように、金属材、強靭な合成樹脂材、石材などによりルアー基材を形成し、ルアー基材を凹部を設け、この凹部に化粧部材を装着することによりルアーを構成することもある。化粧部材として光輝材および蓄光材を含むガラス又は合成樹脂を用いることにより、水中において、化粧部材が光を透過/反射して光ることにより集魚機能を発揮する。他にも、ルアー基材にカラーリングを施すことにより、水中で躍動感を生じさせ、魚の注目を集めるような工夫も行われている。
【先行技術文献】
【特許文献】
【０００４】
【特許文献１】特開平１１−１２３０３７号公報
【特許文献２】特開２０１２−００５４１７号公報
【発明の概要】
【発明が解決しようとする課題】
【０００５】
以上のように、従来では集魚機能を向上させるために、様々な素材を用いてルアーが構成されている。これらの素材の中には、従来のルアーが針から離れ水中に放置された場合、または魚が摂餌した場合などにおいては、自然界においてほとんど分解されることのない難分解性の素材も含まれていた。難分解性の素材が用いられている場合、水中に放たれたルアーはそのまま残存することとなり環境破壊を生じる可能性が高い。
【０００６】
また、様々な素材を用いて構成される従来のルアーは、複数の制作工程が必要となる。また、従来、釣り人は釣りの対象となる魚ごとにルアーを用意し、対象となる魚に適切なルアーを選択して用いていた。作りこまれたルアーの中には高額なものも多く、水中で針から離れてしまった場合、釣り人の損失は大きなものとなっていた。
【０００７】
本発明は、上記のような問題点を解決するために提案されたものである。本発明の目的は、自然界に残存することなく、かつ、経済性および集魚効果の高いルアーを提供することである。
【課題を解決するための手段】
【０００８】
本発明のルアーは、次の構成を有することを特徴とする。
【０００９】
（１）生分解性プラスチックをフィルム状に形成したルアー基材を有し、前記ルアー基材は、少なくとも一方の面に金属層を含むことを特徴とする。
【００１０】
（２）前記生分解性プラスチックが、ポリ乳酸を含んでいても良い。前記金属層が、アルミニウムで形成されていても良い。
【００１１】
（３）前記ルアー基材には、補強シールが貼られていても良い。
【００１２】
（４）前記ルアー基材は、模様の形成が可能であっても良い。前記模様は、ペンにより描くことが可能であっても良い。前記模様は、凹凸により形成することが可能であっても良い。
【００１３】
（４）前記ルアー基材は、前記ルアー基材の長手方向において、一方の端部が鋭角状に尖って形成されるとともに、一方の端部側から他方の端部に向かって先細りになるように形成されていても良い。
【００１４】
（５）前記ルアー基材は、凧形に形成されており、前記凧形の対称軸において二つ折りにされていても良い。
【００１５】
（６）前記ルアー基材は、短冊型に形成されていても良い。
【発明の効果】
【００１６】
本発明によれば、自然界に残存することなく分解され、環境への影響が少なく、かつ、経済性および集魚効果の高いルアーを提供することができる。
【図面の簡単な説明】
【００１７】
【図１】本発明の第１の実施形態に係るルアーの構成を示し、（ａ）はルアーの平面図、（ｂ）はルアーの断面の模式図である。
【図２】本発明の第２の実施形態に係るルアーの構成を示し、（ａ）はルアーの平面図、（ｂ）は（ａ）を折りたたんだ状態の模式図である。
【図３】本発明の第３の実施形態に係るルアーの構成を示す模式図である。
【発明を実施するための形態】
【００１８】
［１．第１の実施形態］
［１−１．構成］
以下、本発明に係るルアーの実施形態について図面を参照しつつ説明する。図１は、本実施形態のルアーの構成を示す図であり、(ａ)はルアーの平面図、（ｂ）はルアーの断面の模式図を示す。本実施形態のルアーは、生分解性プラスチックをフィルム状に形成したルアー基材１を有し、ルアー基材１は、少なくとも一方の面に金属層２を含む。
【００１９】
図１（ｂ）に示す通り、フィルム状に形成されたルアー基材１の表面には、金属層２が形成されている。ルアー基材１は、生分解性プラスチックをフィルム状に形成してなるものである。生分解性プラスチックは、微生物などが産生する酵素によって分解され、最終的に水と二酸化炭素に完全に分解する性質を持っている。従って、環境中に残存することがない物質と言える。生分解性プラスチックと他の部材を混合してフィルム状のルアー基材１を形成することもできるが、生分解性プラスチックを１００％用いてルアー基材１を形成することが好ましい。
【００２０】
生分解性プラスチックとしては、ポリ乳酸、ポリカプロラクトン、ポリヒドロキシアルカノエート、ポリグリコール酸、変性ポリビニルアルコール、カゼイン、変性澱粉などを用いることができる。この中でも、特に、ポリ乳酸を用いることが好ましい。ポリ乳酸としては、Ｌ体、Ｄ体、Ｌ体およびＤ体の混合物、およびラセミ体のいずれを用いても良い。本実施形態のルアー基材１では、ポリ乳酸１００％のものを用いているが、上記の生分解性プラスチックの混合物であっても良い。
【００２１】
ルアー基材１の厚さは、３５μｍ以上２５０μｍ以下とすることが好ましい。この厚さとすることで、水中において水流により躍動的に浮遊するルアーを得ることができる。ルアー基材１の厚みは、フィルムの厚みを変更するだけでなく、複数枚のフィルムを貼り合わせることにより調整することができる。例えば、５０μｍのフィルムを２枚貼りあわせてルアー基材１を形成することにより、５０μｍのフィルム１枚で形成した場合より厚く、かつ重いルアー基材１を得ることができる。厚みや重みが増したルアー基材１は、水中でよりゆっくりと動く。このようにルアー基材１の厚みや重みを調整することにより、水中で所望の動きを得ることができ、対象となる魚の集魚効果が高まる。
【００２２】
複数のフィルムを貼り合わせる場合には、生分解性の接着剤を用いて貼り合わせることが好ましい。生分解性の接着材としては、常温でエマルジョン等の液状を呈する生分解性樹脂を用いることができる。生分解性樹脂は、たとえばポリ乳酸などの上記の生分解性プラスチックと同様の材料により生成できる。例えば、少なくとも一方のフィルムの貼り合わせ面に生分解性の接着剤を塗布し、もう一方のフィルムと張り合わせた後に加熱することで２枚のフィルムを接着することができる。
【００２３】
なお、図１（ａ）では魚の形に切り取った、金属層２を有するルアー基材１を図示している。ただし、ルアー基材１はフィルムを所望の形に切り取ることで、適宜形を変更することができる。
【００２４】
金属層２は、ルアー基材１の両面に形成されている。ただし、金属層２は、ルアー基材１の少なくとも一方の面に形成すればよい。金属層２は、アルミニウムなどの金属又は金属酸化物を蒸着することで形成することができる。また、ルアー基材１にアルミニウム等の金属箔を転写することによって形成してもよい。金属層２の厚みは、２５０〜５００Åとすることが好ましい。
【００２５】
金属層２をアルミニウムで形成することにより、ルアーを銀色に輝かせることができる。この銀色の輝きにより、たとえば太刀魚などが放つ金属光沢が表現される。また、アルミニウムにより形成された金属層２は、水中において数週間で酸化アルミニウムとなるため、水中環境における有害性が少ない。金属層２に用いるアルミニウムの純度は、９９〜９９．９％とすることができるが、より純度が高いものを用いることが好ましい。
【００２６】
また、図１（ａ）に示す通り、金属層２を有するルアー基材１は、ルアー基材１の長手方向において、一方の端部が鋭角状に尖って形成されるとともに、一方の端部側から他方の端部に向かって先細りになるように形成されている。鋭角状に尖って形成された端部の先端は、必ずしも角を有する必要はなく、丸みを帯びていても良い。また先細りにする長さやその先端の角度は適宜変更可能である。この鋭角状に尖って形成された一方の端部が魚の頭部を模し、先細りになるように形成された他方の端部が魚の尾を模している。このように魚の頭部と尾を形成することにより、太刀魚形状のフィルムが形成される。
【００２７】
鋭角状に尖って形成された端部の少なくとも一方の面に、補強シール３が貼られていても良い。補強シール３を貼ったところに、釣り針を挿すことが好ましい。本実施形態では、魚の形を模したルアーの目の一部として補強シール３を貼っているが、補強シールの位置、大きさ、および個数はこれに限定されない。
【００２８】
補強シール３は、装飾層と接着層を有し、装飾層はポリ乳酸等の上記の生分解性プラスチックを用いて形成することができる。生分解性プラスチックにより形成した装飾層に模様等を印刷することができる。接着層は、生分解性の樹脂を用いた接着層することが好ましい。生分解性樹脂は、たとえばポリ乳酸などの上記の生分解性プラスチックと同様の材料により生成できる。
【００２９】
ルアー基材１は、模様４の形成が可能である。この模様４は、ペンにより描くことができる。具体的には、ルアー基材１の金属層２の表面上に、ペンで、例えば、魚の口、エラ、鱗などの模様４を書くことが好ましい。複数の色を有するペンを用いることで、対象となる魚の注目を集めるようにルアーを着色することができる。
【００３０】
ルアー基材１の模様４は、フェルトペンで描くことも可能である。フェルトペンとしては、水性や油性のものなど、ルアー基材１または金属層２の表面上に模様４を描けるものであれば適宜用いることができる。また、ルアー基材１の模様４は、生分解性のインクを含むペンで描くことが好ましい。生分解性のインクとしては、インクの原料にポリ乳酸等の上記の生分解性プラスチックを用いたインクを用いることができる。
【００３１】
［１−２．作用効果］
以上のような構成を有する本実施形態のルアーの作用効果を以下に説明する。
（１）生分解性プラスチックをフィルム状に形成したルアー基材１を有し、ルアー基材１は、少なくとも一方の面に金属層２を含んでいる。生分解性プラスチックにより形成される本実施形態のルアーは、自然界中において分解されるため残存しない。従って、環境への影響を少なくすることができる。
【００３２】
また、フィルム状のルアーは、フィルムを所望の形に切り取ることで、容易に形状を変更することができる。よって、釣り人は複数種類のルアーを用意しておく必要がなく、自ら工夫して集魚効果の高いルアーを得ることができる。また複雑な構造を有するルアーに比べて安価であり、経済性が高い。また、本実施形態のルアーはフィルム状であるため、水中において、水流により揺らめき、躍動的に浮遊するため、集魚効果を高めることができる。また、金属層２により、魚の注目を効果的に集めることができる。
【００３３】
（２）ルアー基材１の分解性プラスチックが、ポリ乳酸を含んでいてもよい。ポリ乳酸は、自然界中の水分により加水分解されて低分子化される。この低分子化されたポリ乳酸が、微生物等により、最終的に二酸化炭素と水に分解される。従って、本実施形態のルアーが水中に放置された場合であっても、自然界中において分解されるため残存しない。ポリ乳酸によるルアーは、水中では３ヶ月程度で溶ける。また、湿度９０％以上、酸素あり、土の温度５８〜７０度の土壌条件において実験した結果、半年程度で生分解することが確認された。従って、環境への影響を少なくすることができる。
【００３４】
（３）ルアー基材１の金属層２が、アルミニウムにより形成されていても良い。金属層２をアルミニウム層とすることにより、ルアーを銀色に輝かせることができる。この銀色の輝きにより、たとえば太刀魚などが放つ金属光沢が表現される。そのため、魚の注目を効果的に集めることができる。また、アルミニウム層は、水中では数週間で酸化アルミニウムとなる。従って、環境への影響を少なくすることができる。
【００３５】
（４）ルアー基材１には、補強シール３が貼られていても良い。補強シール３を貼ったところに釣り針を挿入することで、針が挿入された周囲のルアー基材１を補強することができる。よって、針によりルアー基材１が裂けるなどして水中に放たれることが防止される。また、補強シール３を生分解性プラスチックと生分解性の接着剤で形成した場合には、補強シール３も環境水中で分解されるため、環境への影響を少なくすることができる。
【００３６】
（５）ルアー基材１は、模様４の形成が可能であっても良い。模様４は、ペンにより描かれていても良い。模様４の形成により、集魚効果を高めることができる。また、ルアーに所望の模様や色を形成することができるため、より魚の注目を集めるルアーとすることができる。また、模様を得るために他の部材をルアーに取り付ける必要がなく、経済性の高いルアーとすることができる。また、生分解性のインクを含むペンで模様４を描いた場合には、模様４も環境水中で分解されるため、環境への影響を少なくすることができる。
【００３７】
（６）ルアー基材１は、ルアー基材１の長手方向において、一方の端部が鋭角状に尖って形成されるとともに、一方の端部側から他方の端部に向かって先細りになるように形成されている。このように構成することで、太刀魚形状のルアーを得ることができる。従って、太刀魚を偏食するブリ類の魚の注目を、効果的に集めることができる。
【００３８】
［２．第２の実施形態］
第２の実施形態のルアーを、図２に示す。図２（ａ）はルアーの平面図、（ｂ）は（ａ）を折りたたんだ状態の模式図である。本実施形態のルアーは、基本的には上記実施形態と同じである。ただし、本実施形態のルアーでは、ルアー基材１は、凧形に形成されており、凧形の対称軸において二つ折りにされている。
【００３９】
図２（ａ）に示す通り、ルアー基材１は、凧形に形成されている。凧形とは、隣合う２本の辺の長さが等しい組を２組有する方形である。対角線は直交し、異なる長さを持つ２辺により形成される角と、対応する角の大きさは等しい。凧形は、線対称な図形であり、対称軸は、長さが異なる２辺を含めて三角形を形成した場合の底辺である。図２（ａ）に、対称軸を点線で示す。
【００４０】
図２（ｂ）に示す通り、ルアー基材１は、凧形の対称軸において二つ折りにされている。なお、ルアー基材１は手で二つ折りすることができるため、必ずしも正確に対称軸において二つ折りされている必要はない。
【００４１】
以上のような本実施形態によると、上記実施形態の作用効果の（１）〜（５）に加えて、以下のような作用効果を得ることが可能となる。すなわち、ルアー基材１は、凧形に形成されており、凧形の対称軸において二つ折りにされているため、サビキ仕掛けにおいて集魚効果の高いルアーを得ることができる。また、本実施形態のルアーを単体で釣りに用いることにより、メバルやガシラ等のライトゲームにおいて集魚効果を高めることができる。
【００４２】
［３．第３の実施形態］
第３の実施形態のルアーを、図３に示す。図３は、本実施形態に係るルアーの構成を示す模式図である。本実施形態のルアーは、基本的には上記実施形態と同じである。ただし、本実施形態のルアーでは、ルアー基材１は、短冊型に形成されている。
【００４３】
図３に示す通り、本実施形態のルアー基材１は、細長い短冊型に形成されている。短冊形の両端部は、鋭角状に尖って形成されている。また、ルアーの長手方向において、ルアー基材１の中心部付近がくびれるように形成されている。
【００４４】
以上のような本実施形態によると、上記実施形態の作用効果の（１）〜（５）に加えて、以下のような作用効果を得ることが可能となる。すなわち、本実施形態のルアーでは、ルアー基材１は、短冊型に形成されているため、鯛ラバー釣りのネクタイとして使用することにより、水流により躍動的に動く集魚効果の高いルアーとなる。
【００４５】
［４．その他の実施の形態］
（１）ルアー基材１は、凹凸を有するように加工されていても良い。魚の鱗やエラなどの模様を、押し型などによりルアー基材１に凹凸が生じるように加工して表現することができる。この場合、他の部材を用いることなく魚の模様を形成することができるので、環境への影響をさらに少なくすることができる。
【００４６】
（２）ルアーの形状は上記以外の形状に加工しても良い。例えばカーリーテールタイプのように、ルアーの端部を大きくカールさせても良い。このように構成することで、水の抵抗を受けて回転するルアーとなるため、魚の注目を集めることができる。
【符号の説明】
【００４７】
１  ルアー基材
２  金属層
３  補強シール
４  模様
【図１】
2016013074.tif 000003
【図２】
2016013074.tif 000004
【図３】
2016013074.tif 000005